(57)【要約】【課題】複数の吹出口から吹き出される温度の異なる気流を組み合わせて制御する際に、室内温度を適切に測定し、ユーザの居る部屋の下部の温度を所定の設定温度に制御可能とする。【解決手段】熱交換器を通過した調和空気を送風するメインファン２６５と、メインファン２６５の両側の少なくとも一方に熱交換器を通過させない室内空気を送風するサイドファン２６６とを有する室内機２０と、圧縮機４３と、室外熱交換器と、室外ファンとを有する室外機４０とを備え、冷凍回路で空調を行い、室内機２０で室内温度を検出する室温センサ２６と、検出された室内温度の補正値を記憶する記憶部２３と、検出された室内温度を補正値で補正を行い、補正された室内温度で冷凍回路を制御して室内温度が所定の温度に制御する室内機制御部２１とを備え、室内制御手部２１は、サイドファン２６６のオン時と、オフ時とで異なる記憶部２３の補正値を用いて設定温度を補正する。【選択図】図３
2014173779.tif 000002
【特許請求の範囲】
【請求項１】
内部に熱交換器と、熱交換器を通過させた調和空気を送風するメインファンと、該メインファンの両側の少なくとも一方に熱交換器を通過させない室内空気を送風するサイドファンと、室内温度を検出する室温検出手段とを備え、前記室温検出手段で検出される室内温度が、ユーザによって設定された設定温度を予め定めた所定の補正温度で補正した補正後の設定温度に近づくように空調制御する空気調和機であって、
前記空気調和機は、前記サイドファンを運転している時と運転をしていない時とで異なる前記補正温度を選択することを特徴とする空気調和機。
【請求項２】
同一の設定温度による暖房運転に対して、前記サイドファンを運転している時の前記補正温度は、前記サイドファンを運転していない時の前記補正温度より低くしたことを特徴とする請求項１に記載の空気調和機。
【請求項３】
同一の設定温度による冷房運転に対して、前記サイドファンを運転している時の前記補正温度は、前記サイドファンを運転していない時の前記補正温度より高くしたことを特徴とする請求項１に記載の空気調和機。
【発明の詳細な説明】
【技術分野】
【０００１】
本発明は、複数の吹出口から吹き出される気流の制御を行う空気調和機に関する。
【背景技術】
【０００２】
従来の空気調和機は、左右方向に長い熱交換器を通過した空気をクロスフローファンで送風し、その風向を上下、左右に変更するために、吹出口に上下風向板と左右風向板とが設けられている。
【０００３】
そして、暖房運転時には上下風向板を下向きにして送風し、冷房運転時には上下風向板を上向きにして送風しているが、空気の性質上、暖かい空気が上に昇り、冷たい空気が下に溜まって室内の上部と下部とで温度差が生じる。通常、室内機は壁面の上部に設置されているので、室内機側で検出された温度はユーザの居る室内の下部付近の温度より高くなる。従って、空気調和機はユーザの居る室内の下部付近の温度がユーザの設定した温度になるように設定温度を高めに補正し、室内機側で検出された温度が補正された設定温度になるように空調制御を行う空気調和機があった（特許文献１参照）。
【先行技術文献】
【特許文献】
【０００４】
【特許文献１】特開平６−１０９６０６号公報
【発明の概要】
【発明が解決しようとする課題】
【０００５】
特許文献１の空気調和機は、熱交換器を通過した空気しか送風しないため固定の補正温度を用いて設定温度を補正することに問題はなかった。しかしながら、吹出口を複数備えて少なくとも一方の吹出口からは熱交換器を通過させない室内空気を送風可能な空気調和機を考えた場合、熱交換器を通過させない室内空気の送風向きや送風するか否かで、ユーザの居る室内の下部付近の温度が異なる。例えば、冷房運転時は、熱交換器を通過した冷気がユーザに直接当たらないように水平方向に向けて送風し、熱交換器を通過させない室内空気をユーザに向けて送風することで、ユーザに冷風感を与えることができ、また、冷気を攪拌することにもなる。また、暖房運転時は、熱交換器を通過した暖気を床面に向けて送風し、熱交換器を通過させない室内空気（暖気より低い温度）を暖気の気流より上部に送風することで、ユーザの居る室内の下部付近の暖気を留める事で暖かさを保てる効果がある。このように熱交換器を通過させない室内空気を送風するか否かでユーザの居る室内の下部付近温度が変わるため、特許文献１のように固定の補正温度では適正な空調制御を行うことができないという課題が生じる。
【０００６】
本発明は、上記に鑑みてなされたものであって、熱交換器を通過させた室内空気を送風する吹出口と熱交換器を通過させない室内空気を送風する吹出口とを組み合わせて空調制御する際に、熱交換器を通過させない室内空気の送風状態に応じて補正温度を変えてユーザが設定した設定温度を補正し、ユーザの居る室内の下部の温度がユーザの設定した温度になるように制御することが可能な空気調和機を提供することを目的とする。
【課題を解決するための手段】
【０００７】
上述した目的を達成するために、本発明の空気調和機は、内部に熱交換器と、熱交換器を通過させた調和空気を送風するメインファンと、該メインファンの両側の少なくとも一方に熱交換器を通過させない室内空気を送風するサイドファンと、室内温度を検出する室温検出手段とを備え、前記室温検出手段で検出される室内温度が、ユーザによって設定された設定温度を予め定めた所定の補正温度で補正した補正後の設定温度に近づくように空調制御する空気調和機であって、前記空気調和機は、前記サイドファンを運転している時と運転をしていない時とで異なる前記補正温度を選択することを特徴とする。
【０００８】
また、本発明の空気調和機は、同一の設定温度による暖房運転に対して、前記サイドファンを運転している時の前記補正温度は、前記サイドファンを運転していない時の前記補正温度より低くしたことを特徴とする。
【０００９】
また、本発明の空気調和機は、同一の設定温度による冷房運転に対して、前記サイドファンを運転している時の前記補正温度は、前記サイドファンを運転していない時の前記補正温度より高くしたことを特徴とする。
【発明の効果】
【００１０】
本発明の空気調和機によれば、熱交換器を通過させた調和空気を送風するメインファンと、メインファンの両側の少なくとも一方に熱交換器を通過させない室内空気を送風するサイドファンとを有する室内機が、サイドファンを運転している時としていない時とで異なる補正温度で設定温度を補正することで、サイドファンを運転するかしないかでユーザの居る室内の下部付近の温度が異ならないようにすることができるという効果を奏する。
【００１１】
また、設定温度が同一において、サイドファンを運転している時の補正後の温度が、サイドファンを停止している時の補正後の温度に比べて、冷房時では高く、暖房時では低くなるように設定温度が補正されるので、省エネの効果を奏する。
【図面の簡単な説明】
【００１２】
【図１】図１は、本発明の一実施例に係る空気調和機の室内機の外観斜視図である。
【図２】図２は、室内機および室外機における概略構成を示すブロック図である。
【図３】図３は、空気調和機の制御系を概略的に示すブロック図である。
【図４】図４は、冷房運転時におけるメインファン気流とサイドファン気流の吹き出し方向とサイドファン気流の停止状態を示す空気調和機の斜視図である。
【図５】図５は、暖房運転時におけるメインファン気流とサイドファン気流の吹き出し方向とサイドファン気流の停止状態を示す空気調和機の斜視図である。
【図６】図６は、冷房運転時と暖房運転時においてサイドファンのＯＮ／ＯＦＦ時における補正温度例を示す図である。
【図７】図７は、本発明の実施例に係る空気調和機の動作を説明するフローチャートである。
【発明を実施するための形態】
【００１３】
以下に、本発明にかかる空気調和機の実施例を図面に基づいて詳細に説明する。なお、この実施例によりこの発明が限定されるものではない。
【００１４】
図１は、本発明の一実施例に係る空気調和機の室内機の外観斜視図であり、図２は、室内機および室外機における概略構成を示すブロック図であり、図３は、空気調和機の制御系を概略的に示すブロック図である。
【００１５】
図１に示すように、本実施例に用いられる空気調和機の室内機２０は、本体ユニット２６３とその両側に左ファンユニット２６１と右ファンユニット２６２とを備える。室内機２０の本体ユニット２６３は、主筐体２７を備える。主筐体２７では、筐体本体２８に外装パネル２９が覆い被さる。筐体本体２８には、中央吹出口３０が形成される。外装パネル２９の上部には、図示しない吸込口が形成される。中央吹出口３０は、下向きに開口している。このような筐体本体２８は、例えば室内の壁面に固定することができる。その際、中央吹出口３０の前端３０ａは、後端３０ｂと比べると上方の位置に配置される。その結果、中央吹出口３０は、所定の傾斜角αで前上がりの姿勢に形成される。このような傾斜角αの働きで、気流は中央吹出口３０から床面に向かって下向きに吹き出すことができるだけでなく、床面に対して平行（水平方向）に吹き出すこともできる。
【００１６】
そして、中央吹出口３０には、メイン風向変更手段として前後一対の上下風向板３１ａ、３１ｂが配置される。上下風向板３１ａ、３１ｂは、それぞれ水平軸線３２ａ、３２ｂ回りで回転することができる。回転に応じて上下風向板３１ａ、３１ｂは、中央吹出口３０を開閉することができる。
【００１７】
また、筐体本体２８の両側面には、個別に左ファンユニット２６１と右ファンユニット２６２が配置される。つまり、左ファンユニット２６１と右ファンユニット２６２は、筐体本体２８の側壁の外側に配置される。左ファンユニット２６１は、左サイドファン筐体３３１を備えており、左吹出口３４１が形成され、サイド風向変更手段としてサイドファンの風向を左右に変える左右風向板３４１ａが配置されている。右ファンユニット２６２は、右サイドファン筐体３３２を備えており、右吹出口３４２が形成され、サイド風向変更手段としての左右風向板３４２ａが配置されている。この左吹出口３４１と右吹出口３４２は、不図示の駆動機構によって水平軸線３５回りでそれぞれ回転させることで、サイド風向変更手段としてサイドファンの風向を上下に変えられる。上記した水平軸線３２ａ、３２ｂと水平軸線３５とは、図１に示すように、相互に平行に延びている。筐体３３１と筐体３３２の側面には、サイドパネル３６が覆い被さる。このサイドパネル３６には、側面吸込口３７が形成される。側面吸込口３７は、図１に示すように、例えばスリット状の小開口を集合させて形成する。
【００１８】
本実施例にかかる空気調和機は、上記した室内機２０との間で無線による双方向通信により遠隔から運転操作が行えるリモコン１０を備えている。
【００１９】
本実施例にかかる空気調和機の室内機および室外機は、図２に示すように構成されている。上記した室内機２０の本体ユニット２６３内には、室内熱交換器２６４およびメインファン２６５が組み込まれる。メインファン２６５はクロスフローファンであって、回転によって気流を生成する。本体ユニット２６３には、メインファン２６５の働きにより室内空気が吸い込まれる。吸い込まれた室内空気は室内熱交換器２６４を通過することで冷媒と熱交換され、冷気または暖気が生成される。この室内熱交換器２６４を通り抜けた後の冷気または暖気の気流は、本体ユニット２６３の中央吹出口３０から吹き出され、メインファン気流３０１となる。また、室内熱交換器２６４を通り抜けた気流の流量は、クロスフローファンの回転数によって調整される。
【００２０】
室外機４０の冷凍回路４１は、図２に示すように、四方弁４２、圧縮機４３、室外熱交換器４４、室外ファン４４ａ、膨張弁４５、および冷媒管５０などで構成されている。例えば、冷凍回路４１で冷房運転が設定されると、四方弁４２は、第２口４２ｂおよび第３口４２ｃを相互に接続し、第１口４２ａおよび第４口４２ｄを相互に接続する。これにより、圧縮機４３の吐出管４３ｂから高温高圧の冷媒が室外熱交換器４４に供給される。冷媒は、室外熱交換器４４、膨張弁４５および室内熱交換器２６４を順番に流通する。室外熱交換器４４では、冷媒の熱エネルギーが外気に放出される。冷媒は、膨張弁４５で低圧まで減圧され、室内熱交換器２６４において周囲の空気から吸熱する。これにより生成された冷気は、メインファン２６５の働きで室内空間に吹き出される。室内熱交換器２６４で吸熱した冷媒は、四方弁４２を介して圧縮機４３に戻される。
【００２１】
また、冷凍回路４１で暖房運転が設定されると、四方弁４２は、第２口４２ｂおよび第４口４２ｄを相互に接続し、第１口４２ａおよび第３口４２ｃを相互に接続する。これにより、圧縮機４３の吐出管４３ａから高温高圧の冷媒が室内熱交換器２６４に供給される。冷媒は、室内熱交換器２６４、膨張弁４５および室外熱交換器４４を順番に流通する。室内熱交換器２６４では、冷媒の熱エネルギーが周囲の空気に放出され、暖気が生成される。暖気は、メインファン２６５の働きで室内空間に吹き出される。冷媒は、膨張弁４５で低圧まで減圧され、室外熱交換器４４において周囲の空気から吸熱する。その後、冷媒は圧縮機４３に戻される。
【００２２】
また、本実施例にかかる空気調和機の左ファンユニット２６１および右ファンユニット２６２は、本体ユニット２６３とは独立して設けられる。左ファンユニット２６１および右ファンユニット２６２は、ファンユニットの内部に遠心送風機からなるサイドファン２６６と、サイドファン２６６から送出される気流を吹き出す左吹出口３４１および右吹出口３４２をそれぞれ備え、図１で説明した駆動機構により水平軸線３５回りに回転させると共に、左吹出口３４１および右吹出口３４２の左右風向板３４１ａ、３４２ａにより各吹出口から吹き出される空気の風向・風量を個別に制御することが可能となる。中央吹出口３０から吹き出される空気は、室内熱交換器２６４を通り抜けた冷気または暖気からなるメインファン気流３０１である。左吹出口３４１および右吹出口３４２から吹き出される左サイドファン気流３４１１と右サイドファン気流３４２１は、それぞれの側面吸込口３７から吸い込んだ室内空気をそのまま吹き出した気流である。
【００２３】
続いて、図３を用いて、本実施例の空気調和機の制御系について説明する。本実施例にかかる空気調和機は、図３に示すように、室内機２０と室外機４０とで構成されている。
【００２４】
室内機２０は、ＡＣ電源８０から入力される交流電圧を電源として使用すると共に、室外機４０の整流回路４９４へ交流電圧を電源ライン６１、６２を介して供給する室内機電源部２４、室内熱交換器２６４を通して室内に送風するメインファン２６５からなる本体ユニット２６３、サイドファン２６６、メインファンによる室内空気の吸込むための吸込口３８付近に設けられ室内温度を検出する室温検出手段としての室温センサ２６、室外機４０との間で空調運転制御に関する情報を通信する室内機通信部２２、運転操作するリモコンとの間で双方向通信するリモコン送受信部２５と、室内機２０を制御するプログラムおよび運転制御するデータテーブルを記憶する記憶部２３、上記室内機各部を制御する室内機制御部２１とを備えている。
【００２５】
また、室外機４０は、冷凍回路の圧縮機４３、室内機２０から電源ライン６１、６２を介して供給される交流電源を電源として使用する室外機電源部４９、室内機２０との室内制御部２１と間で室内機通信部２２を介して空調運転制御に関する情報を通信する室外機通信部４７、室外機４０を制御するプログラムおよび設定温度を補正する補正値を記憶する記憶部４８、上記室外機各部を制御する室外機制御部４６とを備えている。室外機電源部４９には、ＡＣ電源からＤＣ電圧に変換するＡＣ／ＤＣコンバータ４９０と圧縮機４３を駆動させるインバータ４９１を備えている。
【００２６】
インバータ４９１は、ＡＣ／ＤＣコンバータ４９０からの直流電圧を交流電圧に変換して圧縮機４３に備えられた図示しないモータ（ブラシレスＤＣモータ等）を駆動する回路であり、複数のパワートランジスタ等のスイッチング素子や、スイッチング素子を保護するための複数のフライバックダイオードで構成されている。
【００２７】
室外機制御部４６は、室外機通信部４７と室内機通信部２２とを介して、室内機２０の室内機制御部２１と空調制御に関する様々な運転情報を通信している。また、室外機制御部４６は、図２に示す四方弁４２や膨張弁４５の開閉制御や室外熱交換器４４の室外ファン４４ａなども制御する。
【００２８】
図４は、壁面７０に設置した空気調和機の斜視図であり、冷房運転時におけるメインファン気流とサイドファン気流の吹き出し方向を示し、図５は、壁面７０に設置した空気調和機の斜視図であり、暖房運転時におけるメインファン気流とサイドファン気流の吹き出し方向を示す図である。
【００２９】
（冷房運転時の気流状態例）
冷房運転時は、図４に示すように、メインファン気流３０１の上下方向の風向を上向きの水平に固定とし、メインファン気流３０１の左右方向の風向を中央正面としている。また、左吹出口３４１から吹き出される左サイドファン気流３４１１と、右吹出口３４２から吹き出される右サイドファン気流３４２１は、ユーザのいる部屋の下部に向けて左ファンユニット２６１と右ファンユニット２６２をそれぞれ下向きに３０°程度回動させて、左サイドファン気流３４１１と右サイドファン気流３４２１を下向きに吹き出している（図４の破線部）。このように、冷房運転時は、メインファン気流３０１を水平固定とすることで、冷気を人７２に直接当てることなく、部屋全体に冷気を行き渡らせることができ、また、左サイドファン気流３４１１と右サイドファン気流３４２１は、冷気でない室内空気をユーザのいる部屋の下部に向けているので、ユーザに気流が当たるため、ユーザは適度な涼感が得られると共に、床面付近に溜まりやすい冷気を部屋全体に攪拌させることができる。
【００３０】
（暖房運転時の気流状態例）
暖房運転時は、図５に示すように、メインファン気流３０１の上下方向の風向は、床面７１に暖気を供給するように、下向きに吹き出し、メインファン気流３０１の左右方向の風向を中央正面としている。また、左吹出口３４１から吹き出される左サイドファン気流３４１１と、右吹出口３４２から吹き出される右サイドファン気流３４２１は、ここではメインファン気流３０１に対して左右方向で１０°ずつ内側を向くように吹き出すと共に、暖気であるメインファン気流３０１に対して上から抑え込むように、左ファンユニット２６１および右ファンユニット２６２を水平方向から下向きに４５°程度回動させることで、左サイドファン気流３４１１と右サイドファン気流３４２１を下向きかつメインファン気流３０１よりも少し上に吹き出している（図５の破線部）。このように、暖房運転時は、メインファン気流３０１を下向き正面に吹き出し、左サイドファン気流３４１１と右サイドファン気流３４２１とがメインファン気流３０１に対して左右方向で１０°ずつ内側を向き、メインファン気流３０１よりも温度の低い空気で上から抑え込むように吹き出すことから、暖気の上昇を抑えて人７２などが居る部屋の下部に暖気を留め、床面７１付近を温めることができる。
【００３１】
次に、空気調和機の温度補正について説明する。
【００３２】
空気調和機は、人７２の居る住空間の室温（Ｔｒ）と室温センサ２６の検出温度（Ｔｂ）とが一致していれば、室温センサ２６の検出温度（Ｔｂ）がユーザによって設定された設定温度（Ｔｓ）になるように空調制御すればよい。しかし、空気調和機は、図４または図５に示すように、室温センサ２６の高さが室内機２０の設置位置（約２ｍ程度）と同じ高さにあり、人７２の居る床面７１付近との高低差で気温が１〜２℃異なるため、従来から所定の補正温度（Ｔｃ）を用いて、設定温度を補正して空調制御している。例えば、暖房運転時、設定温度（Ｔｓ）を２０℃、補正温度（Ｔｃ）を２℃とした場合、設定温度（Ｔｓ）２０℃に補正温度（Ｔｃ）２℃を加算して、検出温度（Ｔｂ）が補正後の設定温度２２℃になるように空調制御する。なお、補正後の設定温度は、あくまでも空調を制御するための温度で、ユーザによって設定された設定温度（Ｔｓ）２０℃は変わらない。
【００３３】
本実施例にかかる空気調和機の特徴は、室内熱交換器２６４を通過させた調和空気を送風するメインファン２６５の両側の少なくとも一方に室内熱交換器２６４を通過させない室内空気を送風するサイドファン２６６を備えていて、運転モードに応じて室内熱交換器２６４を通過させないサイドファンによる送風を調節することで、人７２が居る部屋の下部の温度を効率よく空調制御できる点にある。そこで、本実施例の空気調和機では、サイドファン２６６が動作時と、停止時による室内の上部と下部との温度差が異なるために、サイドファン２６６が動作している時と、停止している時の補正温度（Ｔｃ）をそれぞれ用意した。
【００３４】
本実施例の空気調和機の補正温度の一例を図６に示す。冷房運転モードでは、メインファン２６５によって吹出される冷気は、図４に示すように人に直接当らないように水平方向（天井方面）に吹き出すことで部屋全体に冷気を行き渡らせる。サイドファン２６６がＯＮの時、サイドファン２６６によって吹出される室内空気は、図４のように人７２が居る部屋の下部方向に吹き出すことで、室内空気の気流が人７２に当たり人７２に冷風感を与えられるために、補正温度（Ｔｃ）を「１℃」にして、室内機で検出した検出温度（Ｔｂ）が設定温度（Ｔｓ）に補正温度（Ｔｃ）を加えた温度になるように制御にする。サイドファン２６６がＯＦＦの時は、送風による冷風感がなくなるためにサイドファンＯＮ時に比べその分冷やす必要が生じる。ここでは、補正温度（Ｔｃ）を「０℃」とする。暖房運転モードでは、メインファン２６５によって吹出される暖気は、図５に示すように床面７１に向けて吹き出す。サイドファン２６６がＯＮの時は、サイドファン２６６によって吹出される室内空気は、図５のようにメインファン２６５による暖気を上から抑え込むように吹き出すことで暖気の上昇を抑えて人７２が居る部屋の下部に暖気を留めさせるようにすることで、補正温度（Ｔｃ）を「０℃」つまり、補正無しの状態となる。サイドファン２６６がＯＦＦの時は、暖気の上昇を抑えて込む作用がなくなるので、天井付近に暖気が溜まり、人７２が居る部屋の下部の温度（Ｔｒ）が温まり難くなるため、設定温度を高めに補正する必要があり、よって補正温度（Ｔｃ）を「２℃」にする。その結果、サイドファン２６６がＯＮの時、サイドファン２６６がＯＦＦの時に比べて、冷房運転では、設定温度（Ｔｓ）より高めにして制御し、暖房運転時には設定温度（Ｔｓ）より低めにして制御するので、常に適正な温度制御を行うことができるとともに、省エネ運転にも繋がる。
【００３５】
図７は、本発明の実施例に係る空気調和機の動作を説明するフローチャートであり、以下、図７のフローチャートを用いて本実施例の動作を説明する。本実施例の室内機２０の室内機制御部２１は、空気調和機が運転を開始すると、運転モードが冷房運転モードか暖房運転モードかを判断する（ステップＳ１００）。
【００３６】
ここで、冷房運転モードであれば、ステップＳ１０１に移行して、サイドファン２６６が動作しているか否か（ＯＮかＯＦＦか）を判断する。サイドファン２６６がＯＮの時（ステップＳ１０１でＯＮ）、室内機制御部２１は、記憶部２３に記憶された補正温度（Ｔｃ）のテーブル（図６参照）から、冷房運転モードでサイドファンＯＮ時の補正温度「１℃」を用いて、設定温度（Ｔｓ）に補正温度（Ｔｃ）１℃を加算して、設定温度を補正する（ステップＳ１０２）。
【００３７】
そして、室温センサ２６の検出温度（Ｔｂ）が補正後の温度になるように空調制御を行う（ステップＳ１０７）。その後、運転停止ならば運転を終了するが（ステップＳ１０８でＹｅｓ）、運転を停止しない場合は（ステップＳ１０８でＮｏ）ステップＳ１００に戻り、上記処理が繰り返される。
【００３８】
また、上記ステップＳ１０１において、サイドファン２６６がＯＦＦの時（ステップＳ１０１でＯＦＦ）、室内機制御部２１は、記憶部２３に記憶された補正温度（Ｔｃ）のテーブル（図６参照）から、冷房運転モードでサイドファンＯＦＦ時の補正温度「０℃」なので、補正後の温度は設定温度（Ｔｓ）のままである（ステップＳ１０３）。その後は、上記したステップＳ１０７以下の動作が行われる。
【００３９】
また、上記ステップＳ１０１において、暖房運転モードであれば、ステップＳ１０４に移行して、サイドファン２６６が動作しているか否か（ＯＮかＯＦＦか）を判断する。サイドファン２６６がＯＮの時（ステップＳ１０４でＯＮ）、室内機制御部２１は、記憶部２３に記憶された補正温度（Ｔｃ）のテーブル（図６参照）から、暖房運転モードでサイドファンＯＮ時の補正温度「０℃」なので、補正後の温度は設定温度（Ｔｓ）のままである（ステップＳ１０５）。その後は、上記したステップＳ１０７以下の動作が行われる。
【００４０】
また、上記ステップＳ１０４において、サイドファン２６６がＯＦＦの時（ステップＳ１０４でＯＦＦ）、室内機制御部２１は、記憶部２３に記憶された補正温度（Ｔｃ）のテーブル（図６参照）から、暖房運転モードでサイドファンＯＦＦ時の補正温度「２℃」を用いて、設定温度（Ｔｓ）に補正温度（Ｔｃ）２℃を加算して、設定温度を補正する（ステップＳ１０６）。その後は、上記したステップＳ１０７以下の動作が行われる。
【００４１】
なお、上記の温度の補正は、ユーザが設定した設定温度（Ｔｓ）を補正する事としているが、室温センサ２６の検出温度（Ｔｂ）を補正してもよい。この場合、室温センサ２６で検出した検出温度（Ｔｂ）から補正温度（Ｔｃ）で減算し、減算後の温度が設定温度になるように空調制御を行っても同じである。
【００４２】
このように、本実施例の空気調和機によれば、人７２が居る部屋の下部の温度を効率よく空調制御するための室内熱交換器２６４を通過させないサイドファン２６６を運転している時と停止している時とで適正な補正値を選択できるようにした。また、本実施例の空気調和機は、冷房運転モードであっても暖房運転モードであっても共に、サイドファン２６６動作時に補正される設定温度は、サイドファン２６６非動作時に比べて、冷房時では設定温度を高めに、暖房時では低めに補正されるので省エネになる。さらに、本実施例の空気調和機では、運転モードによっても補正温度を変えるようにしたが、図６に示す補正温度例は一例であって、外気温と設定温度の温度差、サイドファンの風量に応じて補正温度を適宜設定することができる。
【産業上の利用可能性】
【００４３】
以上のように、本発明にかかる空気調和機は、空気調和機の室内機に熱交換器を通過させた調和空気を送風する吹出口と熱交換器を通過させない室内空気を送風する吹出口の複数の吹出口が配置され、各吹出口から吹き出される気流の風量と風向とを個別に調節可能な空気調和機に有用であり、サイドファンの動作の有無によってユーザが設定した設定温度を補正する補正値を変えることで、常に適正な温度制御を行うことが可能な空気調和機を実現することができる。
【符号の説明】
【００４４】
１０  リモコン
２０  室内機
２１  室内機制御部
２２  室内機通信部
２３  記憶部
２４  室内機電源部
２５  リモコン送受信部
２７  主筐体
２８  筐体本体
２９  外装パネル
３０  中央吹出口
３０１  メインファン気流
３０ａ  前端
３０ｂ  後端
３１ａ、３１ｂ  上下風向板
３２ａ、３２ｂ、３５  水平軸線
３６  サイドパネル
３７  側面吸込口
３８  吸込口
４０  室外機
４１  冷凍回路
４２  四方弁
４２ａ  第１口
４２ｂ  第２口
４２ｃ  第３口
４２ｄ  第４口
４３  圧縮機
４３ａ、４３ｂ  吐出管
４４  室外熱交換器
４４ａ  室外ファン
４５  膨張弁
４６  室外機制御部
４７  室外機通信部
４８  記憶部
４９  室外機電源部
５０  冷媒管
８０  ＡＣ電源
２６１  左ファンユニット
２６２  右ファンユニット
２６３  本体ユニット
２６４  室内熱交換器
２６５  メインファン
２６６  サイドファン
３３１  左サイドファン筐体
３３２  右サイドファン筐体
３４１  左吹出口
３４１ａ  左右風向板
３４２  右吹出口
３４２ａ  左右風向板
４９０  ＡＣ／ＤＣコンバータ
４９１  インバータ
【図１】
2014173779.tif 000003
【図２】
2014173779.tif 000004
【図３】
2014173779.tif 000005
【図４】
2014173779.tif 000006
【図５】
2014173779.tif 000007
【図６】
2014173779.tif 000008
【図７】
2014173779.tif 000009